(57)【要約】【課題】仏壇や祭壇へのお参りに基づく種々のサービスを提供するようにして、仏壇や祭壇へのお参りを啓蒙させるお参りサービス提供方法及びお参りサービス提供システムを提供することを課題とする。【解決手段】スマートフォンに記憶したお参りアプリを起動させるアプリ起動ステップと、アプリ起動ステップ後にお参りメニューの一つであるポイント管理メニューを自動起動させる自動起動ステップと、ポイント管理メニュー自動起動ステップ後に、前回のポイント管理メニューの起動時刻からの経過時間が予め定めた時間以上であるかを判定する判定ステップと、判定ステップの判定結果が経過時間が予め定めた時間以上の場合に予め定めた１回当りお参りポイント数を外部記憶装置に記憶させている累計お参りポイント数に加算させるポイント加算ステップと実行させるお参りサービス提供方法により課題解決できた。【選択図】  図４
2020021122.tif 000002
【特許請求の範囲】
【請求項１】
仏壇に備えたビーコン発信器、あるいは納骨堂の祭壇に備えた大型画像表示手段及び送受信端末と、
複数のお参りメニューを有するお参りアプリを記憶した記憶部及び情報処理部を備えたスマートフォンと、外部記憶装置と、情報処理装置とを、ネットワークを介して通信可能なお参りサービスを提供するお参りサービス提供方法であって、
前記スマートフォン情報処理部からの指示に基づいて、前記スマートフォンが前記ビーコン発信器から受信した電波強度と、予め定めて記憶した電波強度とを比較演算して前記受信した電波強度が前記記憶した電波強度より大きい値の場合に、又は、お参り者による前記スマートフォンの画面に表示されたお参りアプリ起動アイコンに触れた場合に、前記お参りアプリを起動させるアプリ起動ステップを実行し、
前記スマートフォン情報処理部から前記お参りアプリ起動情報が前記情報処理装置へ送信されると、前記情報処理装置からの指示に基づいて、
前記お参りメニューの一つであるポイント管理メニューを自動起動させるポイント管理メニュー自動起動ステップと、
前記ポイント管理メニューを自動起動させた時刻と前記外部記憶装置に記憶させた前回の前記ポイント管理メニューの自動起動時刻との差の時間を演算し、前記演算値である時間が予め定めて前記外部記憶装置に記憶した時間より以上であるかを判定する判定ステップと、
前記判定ステップの判定結果において前記演算値が前記予め定めた時間以上の場合に、予め定めた１回当りお参りポイント数を前記外部記憶装置に記憶させている累計お参りポイント数に加算させるポイント加算ステップと、を自動的に実行し、
並びに、前記スマートフォン情報処理部から前記お参りアプリ起動情報が前記情報処理装置へ送信されると、前記情報処理装置からの指示に基づいて、前記スマートフォンの画面に、前記お参りメニューの一つである遺影表示メニューを自動起動させ前記外部記憶装置に記憶させておいた遺影の画像データの表示と、複数のお参りメニューの起動アイコンの表示と、をそれぞれの表示領域を分離して表示する遺影・お参りメニュー表示ステップを実行することを特徴とするお参りサービス提供方法。
【請求項２】
前記情報処理装置からの指示に基づいて、
前記複数のお参りメニューの起動アイコンの中から、ポイント交換メニューの起動アイコンにお参り者が触れると前記ポイント交換メニューを起動させるポイント交換メニュー起動ステップと、
前記ポイント交換メニュー起動ステップ後に、前記外部記憶装置に記憶されている複数のお供え物画像データをお供え物画像データ別にそれぞれのお供え物アイコンとして前記スマートフォンの画面に表示させるお供え物アイコン表示ステップと、
前記お供え物アイコン表示ステップで表示された複数のお供え物アイコンの中から、お参り者が購入を希望するお供え物のお供え物アイコンを選択して触れると、前記お供え物の支払いを前記累計お参りポイントからポイント交換で支払うことを要求するポイント交換要求ステップと、
前記ポイント交換要求ステップ後に、前記外部記憶装置に記憶されている累積ポイント数と、前記選択したお供え物購入に必要なポイント数とを比較演算し、前記累積ポイント数が前記必要なポイント数以上であるか否かを判定するポイント過不足判定ステップと、
前記ポイント過不足判定ステップでのポイント過不足判定結果が、前記累積ポイント数が選択したお供え物ポイント数より以上の判定の場合にお供え物業者情報端末にお供え物情報及び配送先情報が送信される配送指示ステップと、前記累積ポイント数が選択したお供え物ポイント数より未満の判定の場合にポイント交換不可情報が前記スマートフォンの画面に表示される交換不可情報表示ステップと、前記配送指示ステップの完了情報により、前記外部記憶装置に記憶させている累積ポイント数から前記選択したお供え物のポイント数を減算するポイント減算ステップと、を実行することを特徴とする請求項１に記載のお参りサービス提供方法。
【請求項３】
前記情報処理装置からの指示に基づいて、
前記複数のお参りメニューの起動アイコンの中から、お経メニューの起動アイコンにお参り者が触れると前記お経メニューを起動させるお経メニュー起動ステップと、
前記外部記憶装置に記憶させているお経の音声データを前記スマートフォン又は前記祭壇に設置したスピーカーから再生させる再生ステップと、を実行することを特徴とする請求項１に記載のお参りサービス提供方法。
【請求項４】
前記情報処理装置からの指示に基づいて、
前記複数のお参りメニューの起動アイコンの中から、映像メニューの起動アイコンにお参り者が触れると前記映像メニューを起動させる映像メニュー起動ステップと、
前記外部記憶装置に記憶させている故人を撮影した映像データ及び前記故人の肉声の音声データを前記スマートフォン又は前記祭壇に設置した大型画像表示装置やスピーカーから再生させる再生ステップと、を実行することを特徴とする請求項１に記載のお参りサービス提供方法。
【請求項５】
前記スマートフォン情報処理部から前記お参りアプリ起動情報が前記情報処理装置へ送信されると、前記情報処理装置からの指示に基づいて、
前記お参りメニューの一つである見守りメニューを自動起動させ、前記外部記憶装置に記憶されている前記お守り連絡先データの情報端末にお参り通知情報を送信するお参り情報通知ステップを実行することを特徴とする請求項１に記載のお参りサービス提供方法。
【請求項６】
前記情報処理装置からの指示に基づいて、
前記複数のお参りメニューの起動アイコンの中から、納骨堂リアルタイム表示メニューの起動アイコンにお参り者が触れると前記納骨堂リアルタイム表示メニューを起動させる納骨堂メニュー起動ステップと、
前記スマートフォン画面に前記納骨堂に設置した撮像手段から撮影している祭壇の風景をリアルタイムで表示するリアルタイム風景表示ステップと、を実行することを特徴とする請求項１に記載のお参りサービス提供方法。
【請求項７】
仏壇に備えたビーコン発信器、あるいは納骨堂の祭壇に備えた大型画像表示手及び送受信端末と、
複数のお参りメニューを有するお参りアプリを記憶した記憶部及び情報処理部を備えたスマートフォンと、外部記憶装置と、情報処理装置とを、ネットワークを介して通信可能なお参りサービスを提供するお参りサービス提供システムであって、
前記スマートフォン情報処理部からの指示に基づいて、前記スマートフォンが前記ビーコン発信器から受信した電波強度と、予め定めて記憶した電波強度とを比較演算して前記受信した電波強度が前記記憶した電波強度より大きい値の場合に、又は、お参り者による前記スマートフォンの画面に表示されたお参りアプリ起動アイコンに触れた場合に、前記お参りアプリを起動させるアプリ起動手段と、
前記スマートフォン情報処理部から前記お参りアプリ起動情報が前記情報処理装置へ送信されると、前記情報処理装置からの指示に基づいて、
前記お参りメニューの一つであるポイント管理メニューを自動起動させるポイント管理メニュー自動起動手段と、
前記ポイント管理メニューを自動起動させた時刻と前記外部記憶装置に記憶させた前回の前記ポイント管理メニューの自動起動時刻との差の時間を演算し、前記演算値である時間が予め定めて前記外部記憶装置に記憶した時間より以上であるかを判定する判定手段と、
前記判定手段の判定結果において前記演算値が前記予め定めた時間以上の場合に、予め定めた１回当りお参りポイント数を前記外部記憶装置に記憶させている累計お参りポイント数に加算させるポイント加算手段と、を備え、
並びに、前記スマートフォン情報処理部から前記お参りアプリ起動情報が前記情報処理装置へ送信されると、前記情報処理装置からの指示に基づいて、前記スマートフォンの画面に、前記お参りメニューの一つである遺影表示メニューを自動起動させ前記外部記憶装置に記憶させておいた遺影の画像データの表示と、複数のお参りメニューの起動アイコンの表示とをそれぞれの表示領域を分離して表示する遺影・お参りメニュー表示手段と、を備えることを特徴とするお参りサービス提供システム。
【請求項８】
前記情報処理装置からの指示に基づいて、
前記複数のお参りメニューの起動アイコンの中から、ポイント交換メニューの起動アイコンにお参り者が触れると前記ポイント交換メニューを起動させるポイント交換メニュー起動手段と、
前記ポイント交換メニュー起動後に、前記外部記憶装置に記憶されている複数のお供え物画像データをお供え物画像データ別にそれぞれのお供え物アイコンとして前記スマートフォンの画面に表示させるお供え物アイコン表示手段と、
前記お供え物アイコン表示手段で表示された複数のお供え物アイコンの中から、お参り者が購入を希望するお供え物のお供え物アイコンを選択して触れると、前記お供え物の支払いを前記累計お参りポイントからポイント交換で支払うことを要求するポイント交換要求手段と、
前記ポイント交換要求後に、前記外部記憶装置に記憶されている累積ポイント数と、前記選択したお供え物購入に必要なポイント数とを比較演算し、前記累積ポイント数が前記必要なポイント数以上であるか否かを判定するポイント過不足判定手段と、
前記ポイント過不足判定でのポイント過不足判定結果が、前記累積ポイント数が選択したお供え物ポイント数より以上の判定の場合にお供え物業者情報端末にお供え物情報及び配送先情報が送信される配送指示手段と、前記累積ポイント数が選択したお供え物ポイント数より未満の判定の場合にポイント交換不可情報が前記スマートフォンの画面に表示される交換不可情報表示手段と、前記配送指示の完了情報により、前記外部記憶装置に記憶させている累積ポイント数から前記選択したお供え物のポイント数を減算するポイント減算手段と、を備えることを特徴とする請求項７に記載のお参りサービス提供システム。
【発明の詳細な説明】
【技術分野】
【０００１】
本発明は、仏壇や祭壇へのお参りすると種々のサービスを提供するお参りサービス提供方法及びサービス提供システムに関する。
【背景技術】
【０００２】
特許文献１には、ネットワークを介して接続されたサーバと、利用者の端末機器と、管理会社のデータベースと、加工制作会社のコンピュータとから成る仏壇供養システムにおいて、前記管理会社のデータベースは、利用者の個人情報が登録された第１のデータベースと、集計データを記憶する第２のデータベースで構成され、前記サーバは前記利用者の端末機器から入力する供養要求に対して、仏壇と遺影、及び選択された供養物を供えた表示データを前記端末機器に出力する制御手段を有し、前記第２のデータベースには供養回数と供養物の選択回数に基づく集計結果が記録されることを特徴とする仏壇供養システムが開示されている。
【０００３】
特許文献２には、複数の信者宅あるいは複数の信者宅の仏壇あるいは祭壇あるいはこれらの周辺に設置された情報家電および／ あるいは情報端末と、単一あるいは複数の寺社あるいは宗教団体あるいは福祉団体に設置された情報端末および／ あるいは情報センタに設置された活動情報サーバと当該信者の家族あるいは関連する複数の個所に設置された情報家電および／ あるいは情報端末を、インターネット網を通じてネットワーク化し、当該信者が当該情報家電および／ あるいは情報端末を操作することにより生成される活動情報を当該活動情報サーバに収集して管理し当該信者の家族あるいは福祉関係機関あるいは必要な複数個所に設置された情報家電および／ あるいは情報端末に対して随時にあるいは要求に応じて発信しあるいは受信しあるいは当該活動情報を取得して発信しあるいは受信する機能と当該活動情報を処理する機能あるいは交換・接続する機能あるいは相互の通信機能あるいはこれらの組合せにより頑張るお年寄りを励まし見守ることを特徴とする頑張るお年より見守るネットワークが開示されている。
【先行技術文献】
【特許文献】
【０００４】
【特許文献１】特開２００６−１１９６８１号公報
【特許文献２】特開２００７−１８０２４号公報
【発明の概要】
【発明が解決しようとする課題】
【０００５】
特許文献１に記載の発明は、利用者の端末の画面上に表示された仏壇、遺影及び供養物の画像のみでお参りするという技術であり、実際の仏壇へのお参り又は実際の納骨堂の祭壇へのお参りをすることを目的にしていないという問題があった。
【０００６】
特許文献２に記載の発明は、仏壇や祭壇やその周辺に設置した情報端末を信者が操作するとインターネット網を通じて家族等と励ましや見守りのための発信・受信を行う技術であり、仏壇や祭壇にお参りしてもポイントをもらえる技術ではないので、お参りを促進させるという効果が期待し難いという問題があった。
【０００７】
本発明はこうした問題に鑑み創案されたもので、仏壇や祭壇へのお参りに基づく種々のサービスを提供するようにして、仏壇や祭壇へのお参りを啓蒙させるお参りサービス提供方法及びお参りサービス提供システムを提供することを課題とする。
【課題を解決するための手段】
【０００８】
請求項１に記載のお参りサービス提供方法は、仏壇に備えたビーコン発信器、あるいは納骨堂の祭壇に備えた大型画像表示手段及び送受信端末と、複数のお参りメニューを有するお参りアプリを記憶した記憶部及び情報処理部を備えたスマートフォンと、外部記憶装置と、情報処理装置とを、ネットワークを介して通信可能なお参りサービスを提供するお参りサービス提供方法であって、前記スマートフォン情報処理部からの指示に基づいて、前記スマートフォンが前記ビーコン発信器から受信した電波強度と、予め定めて記憶した電波強度とを比較演算して前記受信した電波強度が前記記憶した電波強度より大きい値の場合に、又は、お参り者による前記スマートフォンの画面に表示されたお参りアプリ起動アイコンに触れた場合に、前記お参りアプリを起動させるアプリ起動ステップを実行し、前記スマートフォン情報処理部から前記お参りアプリ起動情報が前記情報処理装置へ送信されると、前記情報処理装置からの指示に基づいて、前記お参りメニューの一つであるポイント管理メニューを自動起動させるポイント管理メニュー自動起動ステップと、前記ポイント管理メニューを自動起動させた時刻と前記外部記憶装置に記憶させた前回の前記ポイント管理メニューの自動起動時刻との差の時間を演算し、前記演算値である時間が予め定めて前記外部記憶装置に記憶した時間より以上であるかを判定する判定ステップと、前記判定ステップの判定結果において前記演算値が前記予め定めた時間以上の場合に、予め定めた１回当りお参りポイント数を前記外部記憶装置に記憶させている累計お参りポイント数に加算させるポイント加算ステップと、を自動的に実行し、並びに、前記スマートフォン情報処理部から前記お参りアプリ起動情報が前記情報処理装置へ送信されると、前記情報処理装置からの指示に基づいて、前記スマートフォンの画面に、前記お参りメニューの一つである遺影表示メニューを自動起動させ前記外部記憶装置に記憶させておいた遺影の画像データの表示と、複数のお参りメニューの起動アイコンの表示と、をそれぞれの表示領域を分離して表示する遺影・お参りメニュー表示ステップを実行することを特徴とする。
【０００９】
請求項２に記載のお参りサービス提供方法は、請求項１において、前記情報処理装置からの指示に基づいて、前記複数のお参りメニューの起動アイコンの中から、ポイント交換メニューの起動アイコンにお参り者が触れると前記ポイント交換メニューを起動させるポイント交換メニュー起動ステップと、前記ポイント交換メニュー起動ステップ後に、前記外部記憶装置に記憶されている複数のお供え物画像データをお供え物画像データ別にそれぞれのお供え物アイコンとして前記スマートフォンの画面に表示させるお供え物アイコン表示ステップと、前記お供え物アイコン表示ステップで表示された複数のお供え物アイコンの中から、お参り者が購入を希望するお供え物のお供え物アイコンを選択して触れると、前記お供え物の支払いを前記累計お参りポイントからポイント交換で支払うことを要求するポイント交換要求ステップと、前記ポイント交換要求ステップ後に、前記外部記憶装置に記憶されている累積ポイント数と、前記選択したお供え物購入に必要なポイント数とを比較演算し、前記累積ポイント数が前記必要なポイント数以上であるか否かを判定するポイント過不足判定ステップと、前記ポイント過不足判定ステップでのポイント過不足判定結果が、前記累積ポイント数が選択したお供え物ポイント数より以上の判定の場合にお供え物業者情報端末にお供え物情報及び配送先情報が送信される配送指示ステップと、前記累積ポイント数が選択したお供え物ポイント数より未満の判定の場合にポイント交換不可情報が前記スマートフォンの画面に表示される交換不可情報表示ステップと、前記配送指示ステップの完了情報により、前記外部記憶装置に記憶させている累積ポイント数から前記選択したお供え物のポイント数を減算するポイント減算ステップと、を実行することを特徴とする。
【００１０】
請求項３に記載のお参りサービス提供方法は、請求項１において、前記情報処理装置からの指示に基づいて、前記複数のお参りメニューの起動アイコンの中から、お経メニューの起動アイコンにお参り者が触れると前記お経メニューを起動させるお経メニュー起動ステップと、前記外部記憶装置に記憶させているお経の音声データを前記スマートフォン又は前記祭壇に設置したスピーカーから再生させる再生ステップと、を実行することを特徴とする。
【００１１】
請求項４に記載のお参りサービス提供方法は、請求項１において、前記情報処理装置からの指示に基づいて、前記複数のお参りメニューの起動アイコンの中から、映像メニューの起動アイコンにお参り者が触れると前記映像メニューを起動させる映像メニュー起動ステップと、前記外部記憶装置に記憶させている故人を撮影した映像データ及び前記故人の肉声の音声データを前記スマートフォン又は前記祭壇に設置した大型画像表示装置やスピーカーから再生させる再生ステップと、を実行することを特徴とする。
【００１２】
請求項５に記載のお参りサービス提供方法は、請求項１において、前記スマートフォン情報処理部から前記お参りアプリ起動情報が前記情報処理装置へ送信されると、前記情報処理装置からの指示に基づいて、前記お参りメニューの一つである見守りメニューを自動起動させ、前記外部記憶装置に記憶されている前記お守り連絡先データの情報端末にお参り通知情報を送信するお参り情報通知ステップを実行することを特徴とする。
【００１３】
請求項６に記載のお参りサービス提供方法は、請求項１において、前記情報処理装置からの指示に基づいて、前記複数のお参りメニューの起動アイコンの中から、納骨堂リアルタイム表示メニューの起動アイコンにお参り者が触れると前記納骨堂リアルタイム表示メニューを起動させる納骨堂メニュー起動ステップと、前記スマートフォン画面に前記納骨堂に設置した撮像手段から撮影している祭壇の風景をリアルタイムで表示するリアルタイム風景表示ステップと、を実行することを特徴とする。
【００１４】
請求項７に記載のお参りサービス提供システムは、仏壇に備えたビーコン発信器、あるいは納骨堂の祭壇に備えた大型画像表示手及び送受信端末と、複数のお参りメニューを有するお参りアプリを記憶した記憶部及び情報処理部を備えたスマートフォンと、外部記憶装置と、情報処理装置とを、ネットワークを介して通信可能なお参りサービスを提供するお参りサービス提供システムであって、前記スマートフォン情報処理部からの指示に基づいて、前記スマートフォンが前記ビーコン発信器から受信した電波強度と、予め定めて記憶した電波強度とを比較演算して前記受信した電波強度が前記記憶した電波強度より大きい値の場合に、又は、お参り者による前記スマートフォンの画面に表示されたお参りアプリ起動アイコンに触れた場合に、前記お参りアプリを起動させるアプリ起動手段と、前記スマートフォン情報処理部から前記お参りアプリ起動情報が前記情報処理装置へ送信されると、前記情報処理装置からの指示に基づいて、前記お参りメニューの一つであるポイント管理メニューを自動起動させるポイント管理メニュー自動起動手段と、前記ポイント管理メニューを自動起動させた時刻と前記外部記憶装置に記憶させた前回の前記ポイント管理メニューの自動起動時刻との差の時間を演算し、前記演算値である時間が予め定めて前記外部記憶装置に記憶した時間より以上であるかを判定する判定手段と、前記判定手段の判定結果において前記演算値が前記予め定めた時間以上の場合に、予め定めた１回当りお参りポイント数を前記外部記憶装置に記憶させている累計お参りポイント数に加算させるポイント加算手段と、を備え、並びに、前記スマートフォン情報処理部から前記お参りアプリ起動情報が前記情報処理装置へ送信されると、前記情報処理装置からの指示に基づいて、前記スマートフォンの画面に、前記お参りメニューの一つである遺影表示メニューを自動起動させ前記外部記憶装置に記憶させておいた遺影の画像データの表示と、複数のお参りメニューの起動アイコンの表示とをそれぞれの表示領域を分離して表示する遺影・お参りメニュー表示手段と、を備えることを特徴とする。
【００１５】
請求項８に記載のお参りサービス提供システムは、請求項７において、前記情報処理装置からの指示に基づいて、前記複数のお参りメニューの起動アイコンの中から、ポイント交換メニューの起動アイコンにお参り者が触れると前記ポイント交換メニューを起動させるポイント交換メニュー起動手段と、前記ポイント交換メニュー起動後に、前記外部記憶装置に記憶されている複数のお供え物画像データをお供え物画像データ別にそれぞれのお供え物アイコンとして前記スマートフォンの画面に表示させるお供え物アイコン表示手段と、前記お供え物アイコン表示手段で表示された複数のお供え物アイコンの中から、お参り者が購入を希望するお供え物のお供え物アイコンを選択して触れると、前記お供え物の支払いを前記累計お参りポイントからポイント交換で支払うことを要求するポイント交換要求手段と、前記ポイント交換要求後に、前記外部記憶装置に記憶されている累積ポイント数と、前記選択したお供え物購入に必要なポイント数とを比較演算し、前記累積ポイント数が前記必要なポイント数以上であるか否かを判定するポイント過不足判定手段と、前記ポイント過不足判定でのポイント過不足判定結果が、前記累積ポイント数が選択したお供え物ポイント数より以上の判定の場合にお供え物業者情報端末にお供え物情報及び配送先情報が送信される配送指示手段と、前記累積ポイント数が選択したお供え物ポイント数より未満の判定の場合にポイント交換不可情報が前記スマートフォンの画面に表示される交換不可情報表示手段と、前記配送指示の完了情報により、前記外部記憶装置に記憶させている累積ポイント数から前記選択したお供え物のポイント数を減算するポイント減算手段と、を備えることを特徴とする。
【発明の効果】
【００１６】
請求項１に記載のお参りサービス提供方法は、仏壇や納骨堂の祭壇にお参りする時間的間隔が前回のポイント管理メニューの自動起動時刻からの経過時間が予め定めた時間以上の場合のみに対して、お供え物を購入できるポイントが加算されるので、仏壇や納骨堂の祭壇にお参りすることが啓蒙される。例えば予め定めた時間を２０時間と設定した場合は略一日に一回の割でポイント管理メニューを自動起動可能となるので、ポイント加算を一日ほぼ一回に規制することができる。このことは、一日一回のお参りを毎日実施することを啓蒙することができる。
【００１７】
また、仏壇や納骨堂の祭壇にお参りすることにより、お参り者のスマートフォンの画面又は納骨堂の祭壇に設置された大型画像表示手段に、記憶された遺影が表示されるので故人の方を想いながら拝むという効果を期待できる。
【００１８】
請求項２に記載のお参りサービス提供方法は、お参りによって累積したポイントを活用してお供え物を購入することができ、購入したお供え物はお供え物業者によって配送先まで配送されるという便利でお得な効果を有する。このことは、お参りをすることを啓蒙するという効果がある。
【００１９】
請求項３に記載のお参りサービス提供方法は、スマートフォン又は納骨堂の祭壇のスピーカーから外部記憶装置に予め記憶されたお経の音声を再生させるので、先祖を拝むときにお経とともに拝むことができるという効果を奏する。
【００２０】
請求項４に記載のお参りサービス提供方法は、外部記憶装置に予め記憶された故人の生前の映像と音声をお参り者のスマートフォンの表示画面又は納骨堂の祭壇の大型画像表示手段に再生させることができる。これにより故人の生前の元気な姿を想い出し懐かしさがこみ上げてくるという効果を有する。
【００２１】
請求項５に記載のお参りサービス提供方法は、スマートフォン使用者が家族と離れて暮らす高齢者等の見守り対象者として登録された場合に有効であり、前記見守り対象者がスマートフォンを持参して、ビーコン発信器が設置された仏壇にお参りにきて前記お参りアプリを起動させると、自動的に外部記憶装置に予め記憶している家族等の連絡先の情報端末にお参り通知情報を発信するので、離れた家族の連絡先の方々は見守り対象者が今日も元気であることを容易に把握し安心できるという効果を有する。
【００２２】
請求項６に記載のお参りサービス提供方法は、親等の家族・先祖の遺骨が安置されている納骨堂から遠く離れた土地に遺族や子孫が住んでいる場合に、納骨堂リアルタイム表示メニューをスマートフォンの画面で起動させると、納骨堂に設置されたカメラ等の撮像手段によって撮影された祭壇の景色を持参しているスマートフォンの画面で見ることができるので、例えば祭壇に設けられた大型画像表示手段に故人の遺影が写し出されている納骨堂の風景を遠隔地にいる遺族や子孫のスマートフォンの画面にリアルタイムで表示するので、遺族や子孫は自分たちがあたかも納骨堂の祭壇前にいるように感じることができ、実際にお参りした気持ちになるという効果を奏する。
【図面の簡単な説明】
【００２３】
【図１】納骨堂の祭壇にお参りをする場合の本発明のお参りサービス提供システムの概要構成図である。
【図２】見守り対象者が仏壇にお参りをする場合の本発明のお参りサービス提供システムの概要構成図である。
【図３】お参りアプリに記憶されている各種お参りメニューの説明図である。
【図４】お参りアプリ起動と遺影表示・ポイント管理メニューのフロー図である。
【図５】図４におけるビーコン使用の場合のステップ１のフロー図である。
【図６】ポイント交換メニューのフロー図である。
【図７】遺影表示メニューのフロー図である。
【図８】お経メニューのフロー図である。
【図９】映像メニューのフロー図である。
【図１０】見守りメニューのフロー図である。
【図１１】納骨堂リアルタイム表示メニューのフロー図である。
【図１２】遺影とアイコンとの表示領域を分離して表示したスマートフォン画面の説明図である。
【図１３】映像とアイコンとの表示領域を分離して表示したスマートフォン画面の説明図である。
【図１４】納骨堂リアルタイム表示メニューでスマートフォン画面に納骨堂の風景を表示したことを示す説明図である。
【図１５】納骨堂の風景を撮像手段で撮影した画像を示す図である。
【発明を実施するための形態】
【００２４】
今後、若者の故郷の地方離れが進み大都市集中が進む傾向がますます強くなると予測されている。すると、故郷には年老いた親が一人暮らしをし、成人した子供は遠く離れた地域で就職し家庭をもつという形態が増加してくると、成人した子供からは年老いた親が元気で日々生活しているかが懸念され、成人した子供は親や先祖の遺骨を納めた納骨堂へのお参りをすることはなかなか実施しにくいことが懸念される。
【００２５】
そのような懸念を払拭させるために、本発明は想到されたものであり、本発明は、故郷の年老いた親が日々仏壇にお参りするように啓蒙してそのお参りしたことをお参り連絡情報として、親をお守りしたい成人した子供に通知したり、故郷から離れた遠隔地に住む子供等の家族が亡くなられた親や親族の遺骨が納められた納骨堂にお参りするように啓蒙して、要望によっては前記納骨堂内の祭壇の風景をリアルタイムで子供等の家族のスマートフォンに出力することで遠隔地にいても遺骨が収められた納骨堂にお参りした雰囲気を味わうことができる。
【００２６】
本発明のお参りサービス提供システムの概要構成として、図１や図２に示すように、記憶部２８と情報処理部２９を備えるスマートフォン２０、外部記憶装置３１、情報処理装置３０、お供え物業者情報端末３２がネットワーク３３を介して通信可能となっている。そして、図１に示すように納骨堂の祭壇に備えた大型の画像表示手３４、送受信端末３５及び納骨堂の祭壇を撮影可能なカメラ等の撮像手段３６が備えられ、又は、図２に示すように仏壇に備えたビーコン発信器３７が備えられ、見守り連絡先情報端末３８がネットワーク３３と通信可能にしている。前記ビーコン発信器３７はスマートフォン２０と通信可能で、前記送受信端末３５は前記情報処理装置３０、前記画像表示手３４及び前記撮像手段３６と通信可能である。前記情報処理装置３０は、前記記憶部２８と情報処理部２９を備えるスマートフォン２０、前記外部記憶装置３１、前記お供え物業者情報端末３２、前記送受信端末３５、見守り連絡先情報端末３８とネットワークでつながっておりネットワークを介して通信可能である。
【００２７】
本発明のお参りサービス提供方法２は、図１や図２に示すように、仏壇に備えたビーコン発信器３７あるいは納骨堂の祭壇に備えた大型画像表示手段３４及び送受信端末３５と、図３に示すような複数のお参りメニュー８１〜８７を有するお参りアプリ８０を記憶した記憶部２８と情報処理部２９を備えたスマートフォン２０と、前記外部記憶装置３１と、前記情報処理装置３０とを、ネットワーク３３を介して通信可能としていることから、ＩｏＴ化できるため、見守り対象者と遠隔地で済む家族との間や、故郷にある納骨堂と遠隔地に住む遺族との間で常時通信することができる。
【００２８】
前記外部記憶装置３１としては、文書や画像や動画ファイルを大量に格納可能な大容量に適したオブジェクトストレージ、クラウドストレージ、サーバコンピュータ、光学ディスク、ハードディスク等の磁気ディスク、ＵＳＢフラッシュメモリ、磁気テープ等が該当する。ＩｏＴとして活用させるためには前記外部記憶装置３１として、文書や画像や動画ファイルを大量に格納可能な大容量に適したオブジェクトストレージ、クラウドストレージ、サーバコンピュータが好ましい。また、前記情報処理装置３０としては、サーバ等のＣＰＵが該当し、前記ＣＰＵが、スマートフォン２０、外部記憶装置３１、情報処理装置３０、お供え物業者情報端末３２、納骨堂内等の送受信端末３５、見守り連絡先情報端末３８を、お参りサービス提供方法に関するプログラムを実行させるよう制御している。
【００２９】
また、お参り者のスマートフォン２０の情報処理部２９には、図３に示すように、お参りアプリ８０がプログラムされており、お参りアプリ８０には、仏壇にビーコン発信器３７設置の場合及び納骨堂の祭壇に設置した大型画像表示手段３４の場合ともに共通のお参りメニューとして、遺影表示メニュー８１、ポイント管理メニュー８２、ポイント交換メニュー８３、お経メニュー８４、映像メニュー８５があり、遠隔地で納骨堂の祭壇にお参りする場合用として納骨堂リアルタイム表示メニュー８６があり、見守り対象者用として見守りメニュー８７がある。
【００３０】
前記遺影表示メニュー８１、ポイント管理メニュー８２、見守りメニュー８７の３つのお参りメニューは、前記お参りアプリ８０が起動すると自動的に起動するようにプログラムされている。よってこれらのお参りメニューについてはスマートフォン２０の画面に起動アイコン２２を表示させていない。
【００３１】
前記ポイント交換メニュー８３、お経メニュー８４、映像メニュー８５、納骨堂リアルタイム表示メニュー８６は、スマートフォン２０を所有しているお参り者が、スマートフォン２０の画面に表示された各種お参りメニューの起動アイコン２２に触れると、その触れたときに発生する信号で触れた起動アイコン２２に関連するメニューを起動するようにプログラムされている。
【００３２】
本発明のお参りサービス提供方法２は、図１〜図４に示すように、仏壇に備えたビーコン発信器３７、あるいは納骨堂の祭壇に備えた大型画像表示手段３４及び送受信端末３５と、複数のお参りメニューアプリ８１〜８７を有するお参りアプリ８０を記憶した記憶部２８及び情報処理部２９を備えたスマートフォン２０と、外部記憶装置３１と、情報処理装置３０とを、ネットワーク３３を介して通信可能なお参りサービスを提供するお参りサービス提供方法２であって、前記スマートフォン情報処理部２９からの指示に基づいて、前記スマートフォン２０が前記ビーコン発信器３７から受信した電波強度と、予め定めて記憶した電波強度とを比較演算して前記受信した電波強度が前記記憶した電波強度より大きい値の場合に、又は、お参り者による前記スマートフォン２０の画面に表示されたお参りアプリ起動アイコン２２に触れた場合に、前記スマートフォン２０の記憶部２８に記憶した前記お参りアプリ８０を起動させるアプリ起動ステップ（Ｓ２）（以下、ステップをＳと略すことがある。）を実行し、前記スマートフォン情報処理部２９から前記お参りアプリ起動情報が前記情報処理装置３０へ送信されると、前記情報処理装置３０からの指示に基づいて、前記お参りメニューの一つであるポイント管理メニュー８２を自動起動させるポイント管理メニュー自動起動ステップ（Ｓ３）と、前記ポイント管理メニュー８２を自動起動させた時刻と前記外部記憶装置３１に記憶させた前回の前記ポイント管理メニュー８２の自動起動時刻との差の時間を演算し、前記演算値である時間が予め定めて前記外部記憶装置３１に記憶した時間より以上であるかを判定する判定ステップ（Ｓ４）と、前記判定ステップ（Ｓ４）の判定結果において前記演算値が前記予め定めた時間以上の場合に、予め定めた１回当りお参りポイント数を前記外部記憶装置３１に記憶させている累計お参りポイント数に加算させるポイント加算ステップ（Ｓ５）と、を自動的に実行し、並びに、前記スマートフォン情報処理部２９から前記お参りアプリ起動情報が前記情報処理装置３０へ送信されると、前記情報処理装置３０からの指示に基づいて、前記スマートフォン２０の画面に、前記お参りメニューの一つである遺影表示メニュー８１を自動起動させ前記外部記憶装置３１に記憶させておいた遺影の画像データの表示と、複数のお参りメニューの起動アイコン２２の表示と、をそれぞれの表示領域を分離して表示する遺影・お参りメニュー表示ステップ（Ｓ７）を実行する。
【００３３】
本発明のお参りサービス提供方法２は、図４に示すように、お参り者のスマートフォン２０に記憶させているお参りアプリ８０の起動をさせるお参りアプリ起動からのスタートとなる。前記お参りアプリ起動（Ｓ２）は、前記お参りアプリ起動はスマートフォン２０の情報処理部２９の指示に基づいて実行され、仏壇に設置した前記ビーコン発信器３７からスマートフォン２０が受信したビーコン電波の強度が閾値以上になること（Ｓ１）、又はお参り者の前記スマートフォン２０の画面（タッチパネル）に表示されたお参りアプリ起動アイコン２２に触れること（Ｓ１１）により行われる。
【００３４】
次に、前記ビーコン発信器３７からの電波による前記お参りアプリ起動について説明する。前記お参りアプリ起動はスマートフォン２０の情報処理部２９の指示に基づいて実行される。前記ビーコン発信器３７からの電波による前記お参りアプリ起動は、図５に示すように、まず、例えばお参り者が仏壇の前に近づいて線香に火をつけて「おりん」を「りん棒」で叩いて拝む位置に来たときにスマートフォン２０が受信したビーコン電波の強度を閾値として設定する（Ｓ０１）。前記閾値を前記スマートフォン２０の前記記憶部２８に記憶する。
【００３５】
そして、前記スマートフォン２０がビーコン信号を受信するステップ（Ｓ０２）と、前記受信したビーコン信号の電波強度を検出するステップ（Ｓ０３）と、前記検出した電波強度が、前記仏壇と前記スマートフォン３７との間隔が予め定めた間隔に相当する閾値以上か否かを判定する電波強度判定ステップ（Ｓ０４）と、を前記情報処理部２９の指示に基づいて自動的に実行する。前記電波強度が前記閾値以上の場合には前記お参りアプリ起動（Ｓ２）に進み、前記電波強度が前記閾値未満の場合には前記お参りアプリ起動（Ｓ２）に進まないように、前記情報処理部２９の指示に基づいて自動的に実行する（Ｓ０５）。また、既に起動中の前記お参りアプリを使用している場合であってもお参り者が移動して前記閾値以下の位置に移動すると前記お参りアプリを停止するように前記情報処理部２９にプログラムされている。
【００３６】
前記ビーコン発信器３７は仏壇に設置されており、お参り者のスマートフォン２０はビーコン電波を常時受信状態にあり、お参り者が仏壇に近づくとスマートフォン２０が受信するビーコン電波強度が高くなりお参り者が仏壇から遠ざかるとスマートフォン２０が受信するビーコン電波強度が低下する。
【００３７】
よって、お参り者が仏壇の前で拝む位置にくるとお参りアプリ８０が自動的に起動され、一方お参り者が仏壇の前で拝む位置から離れると起動中のお参りアプリ８０が自動的に停止される。これにより、確実にお参りしたことを把握することができる。一方、お参り者がスマートフォン２０の画面に表示されたお参りアプリ起動アイコン２２に触れた場合はお参りアプリ８０が起動されるように前記情報処理部２９にプログラムされている。
【００３８】
次に、ステップ２で前記お参りアプリ８０を起動させると、前記スマートフォン情報処理部２９から前記お参りアプリ起動情報が前記情報処理装置３０へ送信され、前記情報処理装置３０からの指示に基づいて、ステップ３で前記お参りメニューの一つであるポイント管理メニュー８１を自動起動させる自動起動ステップ（Ｓ３）になる。そして、前回のポイント管理メニュー８１の起動時間からの経過時間が予め定めた時間以上であるかを判定する時間経過判定ステップ（Ｓ４）となる。短時間内での前記お参りアプリ８０の起動を繰り返すことによる、短時間で高いポイント数を獲得するのを抑制するために、予めポイント加算可能な最小間隔時間を定めて外部記憶装置３１に記憶させておく。
【００３９】
そして、前回のポイント管理メニュー８１起動時刻を外部記憶装置３１に記憶しておき、今回のポイント管理メニュー８１の起動時刻を自動入力されて、前回と今回との時間差が予め定めた時間と比較し、前記時間差が予め定められた時間以上に経過しているか、予め定められた時間未満であるかを判定する。そして、前記時間経過判定が予め定められた時間以上の経過であると判定された場合に、前記外部記憶装置３１に記憶させている累積ポイントに予め定めた１回当りお参りポイント数を加算させるステップ（Ｓ５）に進む。前記ステップ３〜５は前記情報処理装置３０からの指示に基づいて実行される。前記外部記憶装置３１に記憶された加算後のポイント数は情報処理装置３０の指示に基づいて前記スマートフォン２０の情報処理部２９に送信され前記スマートフォン２０の画面に表示される。一方、前記時間経過判定が予め定められた時間未満であると判定された場合には、ポイント加算せず、スマートフォン２０の画面にポイント加算不可の表示をする（Ｓ６）。
【００４０】
前記ポイント管理メニュー８１はお参りするたびにポイントを加算させる仕組みであることから、例えば一日に何回もお参りされることよりも毎日１回お参りすることの方を啓蒙したい場合には前記予め定められた時間を例えば２３時間と設定し、一日２回のお参りを啓蒙した場合には前記予め定められた時間を例えば８時間と設定する。いずれにしてもお参りする時間間隔を何時間にしたいかによって予め任意に定め外部記憶装置３１に記憶させておく。そして、例えば予め定められた時間を２３時間と設定した場合は、前回のお参りした日時が前日の１０時の場合には、午前９時より前の時刻の場合はポイントを加算せず、午前９時より以降の時刻の場合はポイントを加算するように前記情報処理装置３０にプログラムされている。また、前記１回当りお参りポイント数は任意に設定することができる。ステップ４における予め定められた時間やステップ５における１回当りお参りポイント数を予め外部記憶装置３１に記憶させておく。
【００４１】
次に、ポイント交換メニュー８３について説明する。図６に示すように、事前にステップ２０で、前記外部記憶装置３１には、お供え物の物品名、画像データ、価格、ポイント数等のお供え物データが記憶されている。そして、前記アプリ起動ステップ（Ｓ２）後に、前記スマートフォン情報処理部２９から前記お参りアプリ起動情報が前記情報処理装置３０へ送信されると、前記情報処理装置３０からの指示に基づいて、前記スマートフォン２０の画面に、前記お参りメニューの一つである遺影表示メニュー８１を自動起動させ前記外部記憶装置３１に記憶させておいた遺影の画像データの表示（Ｓ１５）と、複数のお参りメニューの起動アイコン２２の表示（Ｓ２Ａ）とを、図１２に示すように、それぞれの表示領域を分離して表示する遺影・お参りメニュー表示ステップ（Ｓ７）が実行される。
【００４２】
次に、お供え物購入とポイント交換について説明する。図６に示すように、前記情報処理装置３０からの指示に基づいて、前記複数のお参りメニューの起動アイコン２２の中から、ポイント交換メニュー８３の起動アイコン２２にお参り者が触れると前記ポイント交換メニュー８３を起動させるポイント交換メニュー起動ステップ（Ｓ２１）と、前記ポイント交換メニュー起動ステップ（Ｓ２１）後に、前記外部記憶装置３１に記憶されている複数のお供え物画像データをお供え物画像データ別にそれぞれのお供え物アイコン２２ａとして前記スマートフォン２０の画面に表示させるお供え物アイコン表示ステップ（Ｓ２２）と、前記お供え物アイコン表示ステップ（Ｓ２２）で表示された複数のお供え物アイコン２２ａの中から、お参り者が購入を希望するお供え物のお供え物アイコン２２ａを選択して触れると、前記お供え物の支払いを前記累計お参りポイントからポイント交換で支払うことを要求するポイント交換要求ステップ（Ｓ２３）と、前記ポイント交換要求ステップ（Ｓ２３）後に、前記外部記憶装置３１に記憶されている累積ポイント数と、前記選択したお供え物購入に必要なポイント数とを比較演算し、前記累積ポイント数が前記必要なポイント数以上であるか否かを判定するポイント過不足判定ステップ（Ｓ２４）と、前記ポイント過不足判定ステップ（Ｓ２４）でのポイント過不足判定結果が、前記累積ポイント数が選択したお供え物ポイント数より以上の判定の場合にお供え物業者情報端末３２にお供え物情報及び配送先情報が送信される配送指示ステップ（Ｓ２５）と、前記累積ポイント数が選択したお供え物ポイント数より未満の判定の場合にポイント交換不可情報が前記スマートフォン２０の画面に表示される交換不可情報表示ステップ（Ｓ２７）と、前記配送指示ステップ（Ｓ２５）の完了情報により、前記外部記憶装置３１に記憶させている累積ポイント数から前記選択したお供え物のポイント数を減算し、残ったポイント数をスマートフォン２０の画面に表示するポイント減算ステップ（Ｓ２６）と、を実行する。
【００４３】
前記お供え物データとしては、仏壇や祭壇にお供えする物であればよく、例えば花立、香炉、火立、おりん、りん棒、過去帳、見台等の仏具、生け花、お菓子等も対象となる。また、前記お供え物業者としては、前記仏具、生け花、お菓子等を販売する業者が含まれる。前記外部記憶装置３１には、種々のお供え物の物品名、画像データ、価格、交換に必要なポイント数、お供え物を取り扱う業者に関する種々のデータ等のお供え物データが記憶されている。
【００４４】
前記アプリ起動ステップ（Ｓ２）後に、図１２に示すように、前記スマートフォン２０の画面に複数のお参りメニューの起動アイコン２２が表示されるお参りメニューアイコン表示ステップ（Ｓ２Ａ）に進む。このときに、前記スマートフォン２０の画面の下側部分に前記複数のお参りメニューの起動アイコン２２が表示され、前記画面の上側部分には遺影表示メニュー８１による遺影２１が表示される。そして、前記表示されたポイント交換メニュー８３の起動アイコン２２にお参り者が触れることにより前記ポイント交換メニュー８３を起動させて（Ｓ２１）、前記スマートフォン２０から前記起動情報を受信した情報処理装置３０が前記外部記憶装置３１に記憶されている複数のお供え物画像データをお供え物画像データ別にそれぞれのお供え物アイコン２２ａとして前記スマートフォン２０の画面に表示させる（Ｓ２２）。前記スマートフォン２０の画面には前記お参りメニューの起動アイコン２２に変わって前記お供え物アイコン２２ａが表示されるようにプログラムされている。
【００４５】
そして、表示された複数のお供え物アイコン２２ａのうちから、お参り者が選択したお供え物アイコン２２ａに触れる。これにより、前記スマートフォン２０から選択したお供え物のポイント交換要求情報が前記情報処理端末３０に送信される（Ｓ２３）。
【００４６】
そして、ステップ２４で、前記累積ポイント数が前記選択お供え物購入に必要なポイント数より以上であるか否かを判定する。前記ポイント判定するステップ２４で累積ポイント数がお供え物ポイント数より少ない場合にはステップ２７でポイント交換不可を前記スマートフォン２０の画面に表示する。
【００４７】
一方、前記ポイント判定のステップ２４で累積ポイント数がお供え物ポイント数より多い場合にはステップ２５で予め登録しているお供え物業者情報端末３２にお供え物の配送を指示する。そして、ステップ２６で、前記配送指示のステップ２５の完了情報により前記外部記憶装置３１に記憶させている累積ポイント数から前記選択したお供え物のポイント数を減算し、前記減算後のポイント数はスマートフォン２０の画面に表示する。前記ステップ２１〜２７は、前記情報処理装置３０からの指示に基づいて実行される。
【００４８】
次に、遺影表示メニュー８１について説明する。前記スマートフォン情報処理部２９から前記お参りアプリ起動情報が前記情報処理装置３０へ送信されると、前記情報処理装置３０からの指示に基づいて、前記スマートフォン２０の画面に、前記お参りメニューの一つである遺影表示メニュー８１を自動起動させ前記外部記憶装置３１に記憶させておいた遺影の画像データの表示をする遺影・お参りメニュー表示ステップ（Ｓ７）が実行される。図７に示すように、ステップ２で前記お参りアプリ８０を起動させると、自動的にステップ１５で遺影表示メニュー８１を自動起動するようにプログラムされている。そして、ステップ１６で前記スマートフォン２０の画面又は前記大型画像表示手段の大型画面に前記外部記憶装置３１に記憶させておいた遺影データによる遺影２１を表示させる。図１２に示すように、遺影２１は前記スマートフォン２０の画面の上側部分に表示される。なお、遺影表示メニュー８１の遺影２１表示（Ｓ１６）と各種メニューのアイコン表示（Ｓ２Ａ）は、お参りアプリ８０の起動（Ｓ２）により略同時に表示される。
【００４９】
次に、お経メニュー８４について説明する。図８に示すように、事前にステップ４０で前記外部記憶装置３１にお参り者が選択したお経を記憶させておく。前記お経は、宗派や遺族の希望によりお参り者の希望通りのお経を記憶させることができる。前記情報処理装置３０からの指示に基づいて、図１２に示すように、前記複数のお参りメニューの起動アイコン２２の中から、お経メニュー８４の起動アイコン２２にお参り者が触れると、前記お経メニュー８４を起動させるお経メニュー起動ステップ（Ｓ４１）と、前記外部記憶装置３１に記憶させているお経の音声データを前記スマートフォン２０又は納骨堂の前記祭壇に設置したスピーカーから再生させる再生ステップ（Ｓ４２）と、を実行する。
【００５０】
次に、映像メニュー８５について説明する。図９に示すように、事前にステップ５０で前記外部記憶装置３１に故人の映像データと音声データを記憶させておく。前記故人の映像データと音声データは故人の生前に終活の一つとしてご協力を頂いて記憶しておく。図１０に示すように、前記お参りアプリ８０を起動させると（Ｓ２）、前記情報処理装置３０からの指示に基づいて、図１２に示すようにスマートフォン２０の画面の下側領域に各種お参りメニューの起動アイコン２２が自動的に表示される（Ｓ２Ａ）。前記複数のお参りメニューの起動アイコン２２の中から、映像メニュー８５の起動アイコン２２にお参り者が触れると前記映像メニュー８５を起動させる映像メニュー起動ステップ（Ｓ５１）と、前記外部記憶装置３１に記憶させている故人を撮影した映像データ及び前記故人の肉声の音声データを前記スマートフォン２０又は前記祭壇に設置した大型画像表示装置やスピーカーから再生させる再生ステップ（Ｓ５２）と、を実行する。前記スマートフォン２０の場合は、例えば図１３に示すように、画面の上側領域に故人の動画（映像）２３が表示され「お参りしてくれてありがとう」というという音声２４が再生される。
【００５１】
次に、見守りメニュー８７について説明する。図１０に示すように、事前にステップ３０で外部記憶装置３１に見守り連絡先情報端末３８を登録し記憶させておく。見守り連絡先としては親と離れて暮らす家族や、一人暮らしの場合の近所の見守りの方々等が適する。前記スマートフォン情報処理部２９から前記お参りアプリ起動情報が前記情報処理装置３０へ送信されると、前記情報処理装置３０からの指示に基づいて、ステップ３１で自動的に起動するようにプログラムされている。そして、ステップ３２で登録されている見守り連絡先の情報端末３８にお参り通知情報が送信される。これにより親と離れて暮らす家族が、親が元気であることを容易に把握できる。また、近所の見守りの方々が一人暮らしの人の安否を容易に知ることができる。
【００５２】
次に、納骨堂リアルタイム表示メニュー８６について説明する。図１１に示すように、事前に納骨堂には祭壇を捉えることができるカメラ等の撮像手段３６を設置しておく。前記アプリ起動ステップ（Ｓ２）後に、前記スマートフォン情報処理部２９から前記お参りアプリ起動情報が前記情報処理装置３０へ送信されると、前記情報処理装置３０からの指示に基づいて、前記スマートフォン２０の画面に、複数のお参りメニューの起動アイコン２２の表示（Ｓ２Ａ）が図１２に示すように実行される。ステップ６１でその表示された納骨堂リアルタイム表示メニュー８６の起動アイコン２２に触れると納骨堂リアルタイム表示メニュー８６が起動する。そして、ステップ６２で、例えば、図１５に示すように前記カメラ等の撮像手段３６が捉えた納骨堂の祭壇の景色が、図１４に示すようにスマートフォン２０の画面に表示される。これにより、お守り者は納骨堂から離れた遠隔地にいても納骨堂で実施されている情景をリアルタイムで知ることができる。
【００５３】
ここで、納骨堂リアルタイム表示メニュー８６を使用するときは、納骨堂の祭壇に設置された大型画像表示装置３４等を限られた時間はお参り者が独占してお参りできるので、実際に納骨堂にお参りしたことと同じ効果がある。また、もし納骨堂を第三者が納骨堂リアルタイム表示メニュー８６を使用していたときは、その使用状況は情報処理装置３０で常時監視しているので、その監視情報に基づいて、スマートフォン２０の画面に例えば「現在他の方が使用中につき時間を空けて再度お願いします」というメッセージが表示されるように情報処理装置３０にプログラムされている。
【００５４】
次に、お参りサービス提供システム１について説明する。図１や図２に示すように、お参りサービス提供システム１は、仏壇に備えたビーコン発信器３７、あるいは納骨堂の祭壇に備えた大型画像表示手３４及び送受信端末３５と、複数のお参りメニューを有するお参りアプリ８０を記憶した記憶部２８及び情報処理部２９を備えたスマートフォン２０と、外部記憶装置３１と、情報処理装置３０とを、ネットワーク３３を介して通信可能なお参りサービスを提供するお参りサービス提供システム１であって、前記スマートフォン情報処理部２９からの指示に基づいて、前記スマートフォン２０が前記ビーコン発信器３７から受信した電波強度と、予め定めて記憶した電波強度とを比較演算して前記受信した電波強度が前記記憶した電波強度より大きい値の場合に、又は、お参り者による前記スマートフォン２０の画面に表示されたお参りアプリ起動アイコンに触れた場合に、前記お参りアプリ８０を起動させるアプリ起動手段と、前記スマートフォン情報処理部２９から前記お参りアプリ起動情報が前記情報処理装置３０へ送信されると、前記情報処理装置３０からの指示に基づいて、前記お参りメニューの一つであるポイント管理メニュー８２を自動起動させるポイント管理メニュー自動起動手段と、前記ポイント管理メニュー８２を自動起動させた時刻と前記外部記憶装置３１に記憶させた前回の前記ポイント管理メニューの自動起動時刻との差の時間を演算し、前記演算値である時間が予め定めて前記外部記憶装置３１に記憶した時間より以上であるかを判定する判定手段と、前記判定手段の判定結果において前記演算値が前記予め定めた時間以上の場合に、予め定めた１回当りお参りポイント数を前記外部記憶装置３１に記憶させている累計お参りポイント数に加算させるポイント加算手段と、を備え、並びに、前記スマートフォン情報処理部から前記お参りアプリ起動情報が前記情報処理装置へ送信されると、前記情報処理装置３０からの指示に基づいて、前記スマートフォン２０の画面に、前記お参りメニューの一つである遺影表示メニュー８１を自動起動させ前記外部記憶装置３１に記憶させておいた遺影の画像データの表示と、複数のお参りメニューの起動アイコン２２の表示とをそれぞれの表示領域を分離して表示する遺影・お参りメニュー表示手段と、を備える。
【００５５】
そして、お参りサービス提供システム１は、前記情報処理装置３０からの指示に基づいて、前記複数のお参りメニューの起動アイコン２２の中から、ポイント交換メニュー８３の起動アイコン２２にお参り者が触れると前記ポイント交換メニュー８３を起動させるポイント交換メニュー起動手段と、前記ポイント交換メニュー起動後に、前記外部記憶装置３１に記憶されている複数のお供え物画像データをお供え物画像データ別にそれぞれのお供え物アイコン２２ａとして前記スマートフォン２０の画面に表示させるお供え物アイコン表示手段と、前記お供え物アイコン表示手段で表示された複数のお供え物アイコン２２ａの中から、お参り者が購入を希望するお供え物のお供え物アイコン２２ａを選択して触れると、前記お供え物の支払いを前記累計お参りポイントからポイント交換で支払うことを要求するポイント交換要求手段と、前記ポイント交換要求後に、前記外部記憶装置３１に記憶されている累積ポイント数と、前記選択したお供え物購入に必要なポイント数とを比較演算し、前記累積ポイント数が前記必要なポイント数以上であるか否かを判定するポイント過不足判定手段と、前記ポイント過不足判定でのポイント過不足判定結果が、前記累積ポイント数が選択したお供え物ポイント数より以上の判定の場合にお供え物業者情報端末３２にお供え物情報及び配送先情報が送信される配送指示手段と、前記累積ポイント数が選択したお供え物ポイント数より未満の判定の場合にポイント交換不可情報が前記スマートフォン２０の画面に表示される交換不可情報表示手段と、前記配送指示の完了情報により、前記外部記憶装置３１に記憶させている累積ポイント数から前記選択したお供え物のポイント数を減算するポイント減算手段と、を備える。
【符号の説明】
【００５６】
１          お参りサービス提供システム
２          お参りサービス提供方法
３          お参りアプリの各種メニュー説明図
４          お参りアプリ起動とポイント管理メニューのフロー図
５          ステップ１のフロー図
６          ポイント交換メニューのフロー図
７          遺影表示メニューのフロー図
８          お経メニューのフロー図
９          映像メニューのフロー図
１０        見守りメニューのフロー図
１１        納骨堂リアルタイム表示メニューのフロー図
２０        スマートフォン
２１        遺影
２２        アイコン
２３        動画
２４        音声
２８        記憶部
２９        情報処理部
３０        情報処理装置
３１        外部記憶装置
３２        お供え物業者情報端末
３３        ネットワーク
３４        画像表示手段
３５        送受信端末
３６        撮像手段
３７        ビーコン発信器
３８        見守り連絡先情報端末
４０        納骨堂
【図１】
2020021122.tif 000003
【図２】
2020021122.tif 000004
【図３】
2020021122.tif 000005
【図４】
2020021122.tif 000006
【図５】
2020021122.tif 000007
【図６】
2020021122.tif 000008
【図７】
2020021122.tif 000009
【図８】
2020021122.tif 000010
【図９】
2020021122.tif 000011
【図１０】
2020021122.tif 000012
【図１１】
2020021122.tif 000013
【図１２】
2020021122.tif 000014
【図１３】
2020021122.tif 000015
【図１４】
2020021122.tif 000016
【図１５】
2020021122.tif 000017
【手続補正書】
【提出日】平成30年12月18日(2018.12.18)
【手続補正１】
【補正対象書類名】明細書
【補正対象項目名】００１２
【補正方法】変更
【補正の内容】
【００１２】
請求項５に記載のお参りサービス提供方法は、請求項１において、前記スマートフォン情報処理部から前記お参りアプリ起動情報が前記情報処理装置へ送信されると、前記情報処理装置からの指示に基づいて、前記お参りメニューの一つである見守りメニューを自動起動させ、前記外部記憶装置に記憶されている見守り連絡先の情報端末にお参り通知情報を送信するお参り情報通知ステップを実行することを特徴とする。
【手続補正２】
【補正対象書類名】特許請求の範囲
【補正対象項目名】請求項５
【補正方法】変更
【補正の内容】
【請求項５】
前記スマートフォン情報処理部から前記お参りアプリ起動情報が前記情報処理装置へ送信されると、前記情報処理装置からの指示に基づいて、前記お参りメニューの一つである見守りメニューを自動起動させ、前記外部記憶装置に記憶されている見守り連絡先の情報端末にお参り通知情報を送信するお参り情報通知ステップを実行することを特徴とする請求項１に記載のお参りサービス提供方法。